(57)【要約】【課題】撮像で得られた画像データファイルを、簡潔で、しかも、ユーザにとって直感的に扱い易く管理できるようにする。【解決手段】データベース手段５には、位置情報と地名や施設名が関連付けられたデータベースが格納されており、キー入力手段８の操作によって電子式撮像手段２で撮像が行なわれると、そのときに測位手段７で計測される位置情報をもとに、データベース手段５でデータベースの検索が行なわれ、その撮像位置での地名や施設名が特定される。電子式撮像手段２から出力される画像データは制御手段３に取り込まれ、所定の処理がなされるとともに、特定された地名や施設名などがファイル名として画像データに付加され、画像データファイルとしてメモリ手段４に格納される。メモリ手段４からは、地名や施設名などの撮像場所をキーワードとして、所望の画像データファイルを検索できる。【選択図】図１
2005086265.tif 000002
【特許請求の範囲】
【請求項１】
被写体を撮影して画像データを生成する電子式撮像手段と、
該画像データが、画像データファイルとして、格納されて管理されるメモリ手段と、
自己位置を認識して測位情報を生成する測位手段と、
該測位手段で生成される該電子式撮像手段の撮像位置を表わす該測位情報から地名もしくは施設名を特定するデータベース手段と、
制御手段と
を備え、
該制御手段は、該画像データファイルに該データベース手段で特定された地名もしくは施設名などをファイル名として付加して該メモリ手段に格納することを特徴とする携帯端末装置。
【請求項２】
請求項１に記載の携帯端末装置であって、
外部との通信を行なうための通信手段を設けたことを特徴とする携帯端末装置。
【請求項３】
請求項１または２に記載の携帯端末装置であって、
前記画像データに関連するコメントファイルを生成する手段を設けたことを特徴とする携帯端末装置。
【請求項４】
請求項３に記載の携帯端末装置であって、
方位検出手段を設け、
該方位検出手段は、撮像位置からの前記電子式撮像手段の撮像方位を検出し、検出した該撮像方位に応じた前記コメントファイルを生成することを特徴とする携帯端末装置。
【請求項５】
請求項１〜４のいずれか１つに記載の携帯端末装置であって、
表示手段とキー入力手段とを有し、
前記制御手段は、前記測位情報に基づく前記データベース手段の検索によって複数の地名もしくは施設名が得られたとき、得られた該複数の地名もしくは施設名を該表示手段に表示し、それらのいずれか１つを該キー入力手段によって選択させることを特徴とする携帯端末装置。
【請求項６】
請求項１〜５のいずれか１つに記載の携帯端末装置であって、
前記電子式撮像手段は、着脱自在に取り付けられていることを特徴とする携帯端末装置。
【請求項７】
被写体を撮影して画像データを生成する電子式撮像手段と、該画像データが、画像データファイルとして、格納されて管理されるメモリ手段と、自己位置を認識して測位情報を生成する測位手段と、該測位手段で生成される該電子式撮像手段の撮像位置を表わす該測位情報から地名もしくは施設名を特定する第１のデータベース手段と、外部との通信を行なうための通信手段と、制御手段とを備えた携帯端末装置と、
複数の外部機器と該携帯端末装置の該通信手段とを接続するネットワークと
からなり、
該外部機器の少なくとも１つは、該測位手段で生成される該電子式撮像手段の撮像位置を表わす該測位情報から地名もしくは施設名を特定する第２のデータベース手段を備え、
該携帯端末装置の該制御手段は、該第１，第２のデータベース手段のいずれによって特定された地名もしくは施設名も、ファイル名として該画像データファイルに付加して該メモリ手段に格納することを特徴とする画像データファイル管理システム。
【請求項８】
被写体を撮影して画像データを生成する電子式撮像手段と、該画像データが画像データファイルとして格納されて管理される第１のメモリ手段と、自己位置を認識して測位情報を生成する測位手段と、該測位手段で生成される該電子式撮像手段の撮像位置を表わす該測位情報から地名もしくは施設名を特定するデータベース手段と、外部との通信を行なうための通信手段と、制御手段とを備えた携帯端末装置と、
複数の外部機器と該携帯端末装置の該通信手段とを接続するネットワークと
からなり、
該外部機器の少なくとも１つは、該画像データファイルを格納して管理するための第２のメモリ手段を備え、
該携帯端末装置の該制御手段は、該画像データファイルを該第１，第２のメモリ手段に格納することを特徴とする画像データファイル管理システム。
【請求項９】
請求項７または８に記載の画像データファイル管理システムであって、
前記携帯端末手段は、方位検出手段を備え、
該方位検出手段は、撮像位置からの前記電子式撮像手段の撮像方位を検出し、検出した該撮像方位の情報をもとに前記画像データファイルに関するコメントファイルを生成することを特徴とする画像データファイル管理システム。
【請求項１０】
請求項７，８または９のいずれか１つに記載の画像データファイル管理システムであって、
前記携帯端末装置は表示手段とキー入力手段とを有し、
前記携帯端末装置の前記制御手段は、前記測位情報に基づく前記データベース手段の検索によって複数の地名もしくは施設名が得られたとき、得られた該複数の地名もしくは施設名を該表示手段に表示し、それらのいずれか１つを該キー入力手段によって選択させることを特徴とする画像データファイル管理システム。
【請求項１１】
請求項７〜１０のいずれか１つに記載の画像データファイル管理システムであって、
前記電子式撮像手段は、着脱自在に取り付けられていることを特徴とする画像データファイル管理システム。
【請求項１２】
取得した画像データファイルに付属する測位情報から該画像データファイルの撮影場所の地名もしくは施設名を特定し、特定した該地名もしくは施設名をファイル名として該画像データファイルに付加することにより、該画像データファイルのファイル名をリネームすることを特徴とする画像データファイル管理方法。
【発明の詳細な説明】
【技術分野】
【０００１】
本発明は、電子式撮像手段の撮像で得られた画像データファイルを管理する携帯端末装置，画像データファイル管理システム及び画像データファイル管理方法に関する。
【背景技術】
【０００２】
デジタルスチルカメラやデジタルビデオカメラなどの電子式撮像手段を用いて撮影を行なうと、撮影画像はＪＰＥＧ（Joint Photographic Expert Group）規格などの静止画フォーマットやＭＰＥＧ（Motion Picture Expert Group）規格などの動画フォーマットの画像データファイルとして、メモリ手段に格納される。このメモリ手段に格納される画像データファイルには、通し番号などでファイル名を付けるといった手法が一般的に用いられている。このようなファイル管理を行なった場合、後日画像再生を行なうときにファイル名からどのような画像が記録されているのか解りにくく、所望のファイルを探し出すのが非常に面倒を強いられることがある。
【０００３】
また、画像データファイルを、撮影時刻や場所などの特定の条件に従ってグループ分けを行ない、グループ単位でそのグループ内の画像データファイルを連続して再生する技術が記されており、その技術を用いることにより、特定の条件を満たす画像を抽出することができるので、所望のファイルの再生をすることが可能になる（例えば、特許文献１参照）。
【０００４】
その一方では、携帯電話やＰＤＡ（Personal Digital Assistant）などの携帯端末装置においても、電子式撮像装置が搭載されることが一般的となっており、それらを用いて気軽に画像の撮影を行なえる環境が提供されている。
【特許文献１】特開２００１−１８６４６８
【発明の開示】
【発明が解決しようとする課題】
【０００５】
従来のデジタルスチルカメラやデジタルビデオカメラのように、電子式撮像装置が搭載された携帯電話やＰＤＡなどの携帯端末装置を用いて画像を撮影する場合においても、撮影画像をどのように管理するかが課題であり、その管理方法は、なるべく簡潔で、しかもユーザにとって直感的に扱い易い方法であることが望まれる。
【０００６】
本発明は、かかる点に鑑みてなされたものであって、その目的は、画像データファイルの管理が簡単で、かつユーザにとって直感的に扱い易くした携帯端末装置，画像データファイル管理システム及び画像データファイル管理方法を提供することにある。
【課題を解決するための手段】
【０００７】
上記目的を達成するために、本発明は、被写体を撮影して画像データを生成する電子式撮像手段と、画像データが画像データファイルとして格納されて管理されるメモリ手段と、自己位置を認識して測位情報を生成する測位手段と、測位手段で生成される電子式撮像手段の撮像位置を表わす測位情報から地名もしくは施設名を特定するデータベース手段と、制御手段とを備えた携帯端末装置であって、この制御手段が、画像データファイルにデータベース手段で特定された地名もしくは施設名などをファイル名として付加してメモリ手段に格納する構成とするものである。
【０００８】
また、本発明は、被写体を撮影して画像データを生成する電子式撮像手段，画像データが画像データファイルとして格納されて管理されるメモリ手段，自己位置を認識して測位情報を生成する測位手段，測位手段で生成される電子式撮像手段の撮像位置を表わす測位情報から地名もしくは施設名を特定する第１のデータベース手段，外部との通信を行なうための通信手段及び制御手段とを備えた携帯端末装置と、複数の外部機器と携帯端末装置の通信手段とを接続するネットワークとからなる画像データファイル管理システムであって、外部機器の少なくとも１つは、測位手段で生成される電子式撮像手段の撮像位置を表わす測位情報から地名もしくは施設名を特定する第２のデータベース手段を備え、携帯端末装置の制御手段は、第１，第２のデータベース手段のいずれによって特定された地名もしくは施設名も、ファイル名として画像データファイルに付加してメモリ手段に格納する構成をなすものである。
【０００９】
また、本発明は、被写体を撮影して画像データを生成する電子式撮像手段，画像データが画像データファイルとして格納されて管理される第１のメモリ手段，自己位置を認識して測位情報を生成する測位手段，測位手段で生成される電子式撮像手段の撮像位置を表わす測位情報から地名もしくは施設名を特定するデータベース手段，外部との通信を行なうための通信手段及び制御手段とを備えた携帯端末装置と、複数の外部機器と携帯端末装置の通信手段とを接続するネットワークとからなる画像データファイル管理システムであって、外部機器の少なくとも１つは、画像データファイルを格納して管理するための第２のメモリ手段を備え、携帯端末装置の制御手段は、画像データファイルを第１，第２のメモリ手段に格納する構成をなすものである。
【００１０】
また、本発明による画像データファイル管理方法は、取得した画像データファイルに付属する測位情報から画像データファイルの撮影場所の地名もしくは施設名を特定し、特定した地名もしくは施設名をファイル名として画像データファイルに付加することにより、画像データファイルのファイル名をリネームするものである。
【発明の効果】
【００１１】
本発明によれば、撮影して得られた画像データは、撮影を行なった場所を示すファイル名で管理されるため、撮影画像の閲覧を行なう際には、かかるファイル名を手がかりに所望の画像データファイルを簡単に検索することができる。
【発明を実施するための最良の形態】
【００１２】
以下、本発明の実施形態を図面により説明する。  
図１は本発明による携帯端末装置及び画像データファイル管理方法の第１の実施形態を示すブロック構成図であって、１はこの実施形態の携帯端末装置、２は電子式撮像手段、３は制御手段、４はメモリ手段、５はデータベース手段、６は表示手段、７は測位手段、８はキー入力手段、９はバス、１０はデータベース検索手段である。
【００１３】
同図において、測位手段７は、無線通信手段によって緯度及び経度の測定を行なって測位情報を生成するものであって、例えば、ＧＰＳ（Global Positioning System）などの測位システムや無線ＬＡＮ（Local Area Network）が有効な手段と考えられる。この測位手段７で生成された測位情報は、マイクロコンピュータなどの計算機手段である制御手段３に取り込まれる。制御手段３は、記憶媒体に地図情報を示すデータが記憶された構成をなすデータベースを格納したデータベース手段５とバス９で組み合わされて、データベース検索手段１０を構築する。このデータベース検索手段１０では、制御手段３によって測位手段７で取得した測位情報をもとにデータベース手段５の地図情報が検索され、測位情報に該当する地名もしくは施設名の特定が行なわれる。電子式撮像手段２は、図２に示すように、光を電気信号に変換する撮像素子２ｂやこの撮像素子２ｂ上に被写体像を導く光学式撮像レンズ２ａ，この撮像素子２ｂを駆動して撮像信号を読み出してデジタル画像信号を生成する信号処理・撮像素子駆動手段２ｃ，このデジタル画像信号をＪＰＥＧやＭＰＥＧなどの規格によるデジタル画像圧縮フォーマットデータ（画像データ）に変換する画像圧縮手段２ｄ，この画像データを一時的に蓄えるバッファメモリ手段２ｅで構成される極めて一般的な電子式撮像手段であり、バッファメモリ手段２ｅに蓄積された画像データが読み出されて制御手段３（図１）に供給される。
【００１４】
また、図１において、表示手段６は、この携帯端末装置１のＧＵＩ（Graphical User Interface）表示，キー入力による入力状態の表示もしくは撮影された画像の確認に画面表示をするための表示手段である。また、携帯端末装置１の操作は、キー入力手段８を用い、表示手段６のＧＵＩに従ってキー入力を行なうか、直接操作コマンドを入力することで行なわれる。また、メモリ手段４は、デジタルデータの読み書きが可能な不揮発性の記録媒体であり、フラッシュメモリなどの半導体メモリやディスクドライブなどのストレージ装置がそれに相当する。ここで、メモリ手段４としては、携帯端末装置１内に固定されたものであってよいし、また、カード状記録媒体やディスク状記録媒体などの記録媒体が着脱可能なものであってもよいし、さらには、これらをともに可能な構成のものであってもよい。
【００１５】
以上の構成により、次のようにして、画像データファイルを生成することができる。
【００１６】
即ち、電源が投入されると、測位手段７により、常時繰り返し携帯端末装置１自身の緯度及び経度（現在位置）の情報が検出されて測位情報が生成される。そして、キー入力手段８によって画像撮影のコマンド入力が行なわれると、電子式撮像手段２によって被写体の撮影が開始され、また、データベース検索手段１０では、測位手段７で生成された測位情報をもとにデータベース手段５で検索が行なわれ、現在位置（撮像位置）の地名もしくは施設名が撮影場所名として特定される。電子式撮像手段１の撮影によって得られた画像データは直ちに画像圧縮処理され、動画であれば、ＭＰＥＧなどの規格による動画圧縮フォーマットの画像データに、静止画であれば、ＪＰＥＧなどの規格による静止画圧縮フォーマットの画像データに夫々変換され、電子式撮像手段２内のバッファメモリ手段２ｅ（図２）に格納される。このバッファメモリ手段２ｅに格納された画像データは、制御手段３によって逐次読み出されて、データベース検索手段１０で特定された地名もしくは施設名といった撮像場所名が、この撮影時の時刻情報，通し番号や測位情報などとともに、ファイル名として付加され、画像データファイルとしてメモリ手段４に格納される。
【００１７】
なお、ＧＰＳなどの測位システムでは、ある程度の測位誤差があり、これを、例えば、１０ｍとすると、１０ｍ四方のエリアでは、同じ値の測位情報が得られることになる。このため、地図上でかかるエリア内に複数の異なる地名の地域や施設などが存在する場合、かかるエリアの測位情報が得られ、この測位情報をもとにデータベース手段５で検索を行なうと、複数の地名もしくは施設名がファイル名の候補として得られることになる。このような場合、この第１の実施形態では、得られたファイル名の候補のリストを表示手段６に表示するとともに、ユーザにその選択を促し、キー入力手段８を使用してこれら候補の中から適切と判断される１つを選択させると、選択された地名もしくは施設名をファイル名として特定し、メモリ手段４に格納する画像データファイルに付加する。
【００１８】
また、キー入力手段８を操作することにより、アトラクションなどの撮像対象名を、撮像場所名の１つとして、ファイル名に用いるようにすることもできる。データベース手段５には、ファイル名として使用できる撮像対象名も格納されており、キー入力手段８での所定の操作により、かかる撮像対象名のリストが表示手段６で表示され、その中の所望のものがキー入力手段８の操作によって選択されると、これがファイル名として画像データファイルに付加される。
【００１９】
ここで、制御手段３では、キー入力手段８から画像撮像のコマンドを取り込むと、電子式撮像手段２に撮像を開始させ、測位手段７からその時点での測位情報を取り込んでデータベース手段５で地名もしくは施設名の検索を行ない、上記のようにして特定された地名もしくは施設名を電子式撮像手段２から取り込んだ画像データにファイル名として付加するが、これとともに、キー入力手段８からデータベース手段５でのアトラクションなどの撮像対象名の検索コマンドがあって、上記のようにして、検索された撮像対象名のうちのユーザが希望する撮像対象名が選択されると、このとき、測位手段７から得られる測位情報が変わらなければ（即ち、携帯端末装置１が移動しなければ）、この画像ファイルデータのファイル名が、先に付加された地名もしくは施設名からこの撮像対象名に変更される。例えば、Ａ競技場で行なわれる市民野球大会を記念として撮影する場合、測位情報に基づいてデータベース手段５から施設名「Ａ野球場」が特定され、ファイル名として画像データファイルに付加されるが、このとき、撮像対象名の検索が行なわれて「市民野球大会」という撮像対象名が選択されると、これが、「Ａ野球場」に代わって、この画像データファイルのファイル名となる。このような地名や施設名から撮像対象名へのファイル名の更新は、測位情報が変化しない限り（即ち、携帯端末装置１が移動しない限り）、さらには、予め決められた所定時間を経過する前であれば、可能である。測位情報が変化した場合には、撮像対象名が選択されても、無効となる。なお、撮像対象名は、キー入力手段８などを用いて、適宜追加することができる。
【００２０】
メモリ手段４に格納した画像ファイルデータを表示手段６で閲覧するための、このメモリ手段４から所望の画像データファイルの検索は、後に詳しく説明するが、その画像データファイルのファイル名での、特に、撮影場所名（即ち、地名や施設名，アトラクションなどの撮像対象名）をキーワードとして行なわれる。
【００２１】
このようにして、電子式撮像手段１の撮像で得られた画像データは、その撮像場所名を示すファイル名で管理されることになり、かかる画像データファイルを閲覧する際には、かかるファイル名を手がかりに画像データファイルを検索できるので、所望とする画像データファイルを簡単に指定できて検索が容易となる。
【００２２】
なお、ここでは、データベースと画像データファイルとを夫々データベース手段５とメモリ手段４という別々の格納手段に格納するようにしているが、これらメモリ手段４とデータベース手段５とに替えて、図３に示したように、大容量メモリ手段１１を設けて、図４に示すように、この大容量メモリ手段１１をメモリ領域とデータベース領域とに区分し、メモリ領域に画像データファイルを、データベース領域にデータベースを夫々格納するようにしてもよい。
【００２３】
図５は本発明による携帯端末装置及び画像データファイル管理方法の第２の実施形態を示すブロック構成図であって、１２は通信手段であり、図１に対応する部分には同一符号を付けて重複する説明を省略する。
【００２４】
図５において、この第２の実施形態は、図１に示す実施形態に対して通信手段１２を付加して、外部とのデータ通信を可能としたものであって、電源が投入されると、図１に示す第１の実施形態と同様の手順で、電子式撮像手段２で撮像が開始され、また、測位手段７で測位情報が生成されて、データベース手段５で地名や施設名の検索が行なわれるが、これとともに、制御手段３が通信手段１２をネットワークに接続し、外部との通信を可能として、ネットワークシステムをも含む画像データファイル管理システムを形成することになる。
【００２５】
図６はこのように形成される本発明による画像データファイル管理システムの第１の実施形態とその画像データファイル管理方法を示すブロック図であって、１３はネットワーク、１４ａはサーバ、１４ｂはＰＣ（パーソナル・コンピュータ）であり、前出図面に対応する部分には同一符号を付けて重複する説明を省略する。
【００２６】
同図において、携帯端末装置１の通信手段１２が接続されたネットワーク１３には、サーバ１４ａやこの携帯端末装置１のユーザが所有するＰＣ１４ｂなどが接続されている。
【００２７】
サーバ１４ａは、地図情報のデータベースを保有するサーバであって、携帯端末装置１での測位手段７で生成される測位情報に対して、地名や施設名といった撮像場所名を提供するサービスを行なう。そこで、制御手段３は、キー入力手段８からの画像撮像コマンドの取り込みとともに、先の第１の実施形態と同様、測位手段７からの測位情報をもとにデータベース手段５で撮像場所名の検索を行なうが、このデータベース手段５にこの測位情報に該当する地名や施設名が存在しない場合には、通信手段１２により、ネットワーク１３を介してサーバ１４ａにアクセスし、そのデータベースで該当する地名もしくは施設名の検索を行なう。そして、これによって特定された地名もしくは施設名をネットワーク１３を介して通信手段１２から取り込み、電子式撮像手段２から得られた画像データにファイル名として画像ファイルデータを作成し、メモリ手段４に格納する。
【００２８】
また、サーバ１４ａの代わりに、ユーザ自身のＰＣ１４ｂに同様のデータベースを構築するようにしてもよい。この場合には、制御手段３は、ＰＣ１４ｂにアクセスしてこのときの画像ファイルデータに対する地名もしくは施設名をファイル名として特定する。
【００２９】
また、サーバ１４ａやＰＣ１４ｂを携帯端末装置１の画像ファイルデータのメモリ手段としても利用することができる。この場合、制御手段３は携帯端末装置１内のメモリ手段４の状況も監視しており、このメモリ手段４が容量一杯の使用状態にあるときには、サーバ１４ａもしくはＰＣ１４ｂをアクセスし、これに生成した画像データファイルを格納するようにする。
【００３０】
このように、この画像管理データファイル管理システムでは、図１に示す第１の実施形態と同様の画像データファイルの管理を実現することができるが、地名もしくは施設名のデータベースの保管手段として、データベース手段５ばかりでなく、ネットワーク１３に接続されるサーバ１４ａやＰＣ１４ｂなどの携帯端末装置１に対して外部機器をデータベース手段として利用することができ、より多くの地図情報を用いることができて、より詳細な地名もしくは施設名をファイル名として用いることが可能となる。
【００３１】
また、この画像管理データファイル管理システムでは、画像データファイルの保管先として、メモリ手段４ばかりでなく、ネットワーク１３上のサーバ１４ａやＰＣも利用することができるので、際限なく撮影を行なっても、これによって得られる画像データファイルを保管することができる。
【００３２】
図７は図１，図３及び図５に示す携帯端末装置１や図６に示す画像データファイル管理システムでの画像データファイルの管理状態の一具体例を示す図であって、ここでは、携帯端末装置１でのメモリ手段４での管理状態を例としている。しかし、画像データファイルの保管手段としての図３における大容量メモリ手段１１についても同様であるし、また、図６において、メモリ手段４とサーバ１４ａもしくはメモリ手段４とＰＣ１４ｂによって構成される画像データファイルの保管手段についても同様である。
【００３３】
図７において、メモリ手段４では、ファイル名が付加された画像データファイル１６が所定のキーワード１５に応じてグループ化されて格納される。ここで、キーワード１５としては、データベース手段５に格納されている地名や施設名，さらには、アトラクションなどの撮像対象名といった撮像場所名が用いられる。ここでは、キーワード１５を「地名Ａ」とするグループＡと、キーワード１５を「施設名Ｂ」とするグループＢと、キーワード１５を「アトラクションＣ」とするグループＣとが設定され、夫々毎に画像データファイル１６がグループ化されて格納されている状態を示している。
【００３４】
また、各画像データファイル１６はファイル名Ａ＿ｘｘ，Ｂ＿ｙｙ，……などが付加されているが、かかるファイル名での「Ａ」はキーワード１５と同じものであり、「ｘｘ」や「ｙｙ」などはファイル名での通し番号や撮像時刻などの文字列による属性情報である。
【００３５】
かかるメモリ手段４に保管されている所望の画像データファイルを閲覧する場合には、キー入力手段８を所定操作してメモリ初段１１でのキーワード１５のリストを表示手段６に表示させる。このリストからこの所望の画像データファイルに該当するキーワード１５をキー入力手段８で指定することにより、指定されたキーワード１５のグループに属する全ての画像データファイルのファイル名のリストが表示手段６で表示される。この場合、このリストに表示されるファイル名は、キーワード１５に相当する地名や施設名，撮像対象ばかりでなく、通し番号，撮像時刻なども含む。例えば、図７において、キーワード１５のリストで「地名Ａ」のキーワード１５を選択すると、グループＡに属する画像データファイルのファイル名「Ａ＿ｘｘ」，「Ａ＿ｙｙ」，「Ａ＿ｚｚ」からなるリストが表示手段６に表示される。このリストから該当するファイル名を指定することにより、このファイル名を持つ所望の画像データファイルがメモリ手段４から読み出されて表示手段６に表示される。これにより、この所望の画像データファイルを閲覧することができる。
【００３６】
なお、メモリ手段４に設定されているキーワード１５のいずれにも属さないファイル名を持つ画像データファイルを保管する場合には、このファイル名に応じた新たなキーワード１５のグループが新たに設定され、これに保管される。
【００３７】
このようにして、撮像場所名を表わすキーワード１５をもとに画像データファイルをグループ化して管理するものであるから、かかる撮影場所名を表わすキーワード１５で所望とする画像データファイルを検索することができ、画像データファイルの検索のための指定が簡単で間違いないものとなる。
【００３８】
図８は、図１，図３に示す実施形態及び図５，図６に示す実施形態において、既に格納されている画像データファイルのリネーミング（ファイル名の更新）動作の手順の一具体例を示すフローチャートである。
【００３９】
先に示した各実施形態の携帯端末装置１でのメモリ手段４が着脱可能な記録媒体（例えば、メモリカードやディスクなど）を用いるものである場合、これとは別の電子スチルカメラや電子ビデオカメラが備えた記録媒体をこのメモリ手段４に装着し、この記録媒体に記録された画像データファイル（以下、外部画像データファイルという）を携帯端末１で管理するようにすることが可能である。この場合、この記録媒体に格納されている外部画像データファイルがその撮像位置を示す測位情報を有しているものであるときには、この測位情報を用いてデータベース手段５を検索し、地名もしくは施設名を特定することができ、この特定された地名もしくは施設名をファイル名としてこの外部画像データファイルに付加する。これにより、他の機器で撮影して得られた外部画像データファイルであっても、この携帯端末装置１に適合したファイル名の画像データファイルとすることができ（リネーミング）、この携帯端末装置１の画像データファイルとして管理することができる。なお、この外部画像データファイルが測位情報を有していない場合には、メモリ手段４において、例えば、「その他」をキーワード１５（図７）として保管するようにする。
【００４０】
また、図６に示す画像データファイル管理システムの場合には、上記のような電子スチルカメラや電子ビデオカメラからの外部画像データファイルをネットワーク１３を介して通信手段１２から取り込み、同様にして、これを管理するようにすることもできる。
【００４１】
以上のリネーミング動作を、図８により、説明する。
【００４２】
上記のように、メモリ手段４に装着された外部機器の記録媒体やネットワーク１３（図６）から外部画像データファイルを取り込むと（ステップ１００）、この取り込んだ外部画像データファイルから付属情報としての測位情報を抽出し（ステップ１０１）、抽出した測位情報を用いてデータベース手段５での撮影場所を特定する地名もしくは施設名の検索を行なう（ステップ１０２）。そして、検索されたこの地名もしくは施設名を表示手段６で表示し（ステップ１０３）、リネーミングを行なうかどうかのユーザの意向の確認を行なう（ステップ１０４）。この確認の是非はキー入力手段８からのコマンド入力で決定され、リネーミングが選択されると、リネーミングを実行して（ステップ１０５）、動作を終了し、、リネーミングが選択されなければ、リネーミングを行なわずに動作を終了する。なお、測位情報を持たない画像データファイルは、リネーミングが行なわれない。リネームされた画像データファイルは、図７に示すように、所定のキーワード１５のグループに属するように保管され、リネームされない画像データファイルは、「その他」のキーワード１５のグループに保管される。
【００４３】
但し、図８のステップ１０４でリネームが選択されなかった画像データファイルは、測位情報を有しているので、その後、キー入力手段８からのコマンド入力により、この測位情報を利用することにより、上記のように、リネーミングを行なうことができる。
【００４４】
図９は本発明による携帯端末装置及び画像データファイル管理方法の第３の実施形態を示すブロック構成図であって、１７は方位検出手段であり、図５，図６に対応する部分には同一符号を付けて重複する説明を省略する。
【００４５】
同図において、この第３の実施形態は、図５，図６に示す第２の実施形態に方位検出手段１７を設けたものである。この方位検出手段１７は携帯端末装置１の向いている方位（方角：撮像方向）を表わす方位情報を生成するものである。
【００４６】
次に、この方位検出手段１７の役割について説明する。
【００４７】
この方位検出手段１７は、電子式撮像手段２が向いている方角を判別するものである。測位手段７によって測位情報が取得されると、撮影場所が特定されるが、さらに、この方位検出手段１７が検出する方角により、この撮影場所から電子式撮像手段２が向いている方角にどのような目標物が存在するのかがデータベース検索手段１０を用いて検索することができる。ここで、位置情報と目標物とに関連してコメント情報のデータベースがデータベース手段５に格納されており、撮影場所である位置情報と検索された目標物とをキーワードとしてかかるデータベースを検索することにより、所望のコメント情報を取得することができる。そして、この取得したコメント情報を、撮影した画像の「山下公園より、ペイブリッジ方面を望む」などといったような説明コメント文として、画像データファイルに関連付けしてメモリ手段４に格納することにより、かかる画像データファイルからアルバムなどを作成することができる。
【００４８】
図１，図３に示す携帯端末装置の第１の実施形態においても、上記の方位検出手段１７を設けて、上記と同様の動作が得られるようにすることもできる。
【００４９】
なお、以上の実施形態の携帯端末装置１において、電子式撮像手段２を着脱自在としてもよい。この場合、かかる電子式撮像手段２に測位手段を設けることにより、図２に示す構成において、画像圧縮手段２ｄで処理された画像データにこの測位手段からの測位情報を付加してバッファメモリ２ｅに格納しておき、この電子式撮像手段２を制御手段３に接続したとき、このバッファメモリ２ｅに格納されている画像データを読み取って、地名もしくは施設名の特定やファイル名の付加などの上記の処理を行ない、画像データファイルとしてメモリ手段４などに格納するようにすることもできる。
【００５０】
また、このように電子式撮像手段２を着脱自在としても、メモリ手段４で記録媒体の着脱を可能とすることにより、上記のようにして、外部機器で撮影した画像データファイルを記録媒体を介して取り込み、管理することができる。
【図面の簡単な説明】
【００５１】
【図１】本発明による携帯端末装置及び画像データファイル管理方法の第１の実施形態を示すブロック図である。
【図２】図１に示す電子式撮像手段の一具体例を示すブロック図である。
【図３】図１に示す第１の実施形態の一変形例を示すブロック図である。
【図４】図３に示す大容量メモリ手段の一構成例を示す図である。
【図５】本発明による携帯端末装置の第２の実施形態を示すブロック図である。
【図６】本発明による画像データファイル管理システムの第１の実施形態とその画像データファイル管理方法を示す図である。
【図７】図１，図３，図５，図６に示す実施形態のメモリ手段での画像データファイルの管理状態を模式的に示す図である。
【図８】図１，図３，図５，図６に示す実施形態での画像データファイルのリネーミング動作を行なう手順を示すフローチャートである。
【図９】本発明による携帯端末装置及び画像データファイル管理方法の第３の実施形態を示すブロック図である。
【符号の説明】
【００５２】
１  携帯端末装置
２  電子式撮像手段
２ａ  光学式撮像レンズ
２ｂ  撮像素子
２ｃ  信号処理・摘像素子駆動手段
２ｄ  画像圧縮手段
２ｅ  バッファメモリ手段４
３  制御手段
４  メモリ手段
５  データベース手段
６  表示手段
７  測位手段
８  キー入力手段
９  バス
１０  データベース検索手段
１１  大容量メモリ手段
１２  通信手段
１３  ネットワーク
１４ａ  サーバ
１４ｂ  ＰＣ
１５  キーワード
１６  画像データファイル
１７  方位検出手段
【図１】
2005086265.tif 000003
【図２】
2005086265.tif 000004
【図３】
2005086265.tif 000005
【図４】
2005086265.tif 000006
【図５】
2005086265.tif 000007
【図６】
2005086265.tif 000008
【図７】
2005086265.tif 000009
【図８】
2005086265.tif 000010
【図９】
2005086265.tif 000011